(57)【要約】  身頃と袖のパターンを工夫することによって、腕を上下、前後に動かしたときに、身頃が袖に引っ張られることを低減できるようにする。上衣１は、前袖部５１の前縫着部５４において前身頃２の第１縫着基準位置６に縫いつけられる部分６７，８７が、ショルダーポイントＳＰよりも前身頃２に向かって突出し、かつ、前縫着部５４と第１縫着端部６との境界点６５よりも前身頃２に向かって突出しており、後袖部５２の後縫着部５５において後身頃３の第２縫着基準位置１２に縫いつけられる部分７２，８９が、ショルダーポイントＳＰよりも後身頃３に向かって突出し、かつ、後縫着部５５と第２縫着端部１２との境界点７０よりも後身頃３に向かって突出している。
2009125487.tif 000002
【特許請求の範囲】
【請求項１】
前身頃と、後身頃と、これらの身頃に縫いつけられる袖とを備えるとともに、着衣者の上半身に着けられる上衣において、
袖は、前袖部と後袖部を備えるとともに、前袖部と後袖部とを縫い合わせることによって筒状に構成され、
前袖部は、前身頃に縫いつけられる前縫着部と、袖部を筒状に構成すべく後袖部に縫いつけられる第１縫着端部とを備え、
後袖部は、後身頃に縫いつけられる後縫着部と、袖部を筒状に構成すべく前袖部に縫いつけられる第２縫着端部とを備え、
前縫着部が前身頃に縫いつけられ、かつ後縫着部が後身頃に縫いつけられたときに、前縫着部と後縫着部との境界部が、着衣者の肩先に対応するショルダーポイントとされており、
前身頃は、袖の前縫着部が縫いつけられる第１縫着部を備え、この第１縫着部には、袖の前縫着部が縫いつけられるときの基準となる第１縫着基準位置が設定されており、第１縫着基準位置は、第１縫着部のうちで、最も前身頃の幅方向の中心寄りに位置づけられ、
後身頃は、袖の後縫着部が縫いつけられる第２縫着部を備え、第２縫着部には、袖の後縫着部が縫いつけられるときの基準となる第２縫着基準位置が設定されており、第２縫着基準位置は、第２縫着部のうちで、最も後身頃の幅方向の中心寄りに位置づけられ、
前袖部の前縫着部において前身頃の第１縫着基準位置に縫いつけられる部分が、ショルダーポイントよりも前身頃に向かって突出し、かつ、前縫着部と第１縫着端部との境界点よりも前身頃に向かって突出しており、
後袖部の後縫着部において後身頃の第２縫着基準位置に縫いつけられる部分が、ショルダーポイントよりも後身頃に向かって突出し、かつ、後縫着部と第２縫着端部との境界点よりも後身頃に向かって突出していることを特徴とする上衣。
【請求項２】
前身頃と、後身頃と、これらの身頃に縫いつけられる袖とを備えるとともに、着衣者の上半身に着けられる上衣において、
袖は、前袖部と後袖部を備えるとともに、前袖部と後袖部とを縫い合わせることによって筒状に構成され、
前袖部は、前身頃に縫いつけられる前縫着部と、袖部を筒状に構成すべく後袖部に縫いつけられる第１縫着端部とを備え、
後袖部は、後身頃に縫いつけられる後縫着部と、袖部を筒状に構成すべく前袖部に縫いつけられる第２縫着端部とを備え、
袖には、前縫着部が前身頃に縫いつけられ、かつ後縫着部が後身頃に縫いつけられたときに、着衣者の肩先に対応するショルダーポイントが設定されており、
さらに、袖には、この袖をラグラン袖とするために、身頃の衿ぐりに向けて突出する突出部が前縫着部および後縫着部に一体に設けられており、
前身頃は、袖の前縫着部が縫いつけられる第１縫着部を備え、この第１縫着部には、袖の前縫着部が縫いつけられるときの基準となる第１縫着基準位置が設定されており、第１縫着基準位置は、第１縫着部のうちで、最も前身頃の幅方向の中心寄りに位置づけられ、
後身頃は、袖の後縫着部が縫いつけられる第２縫着部を備え、第２縫着部には、袖の後縫着部が縫いつけられるときの基準となる第２縫着基準位置が設定されており、第２縫着基準位置は、第２縫着部のうちで、最も後身頃の幅方向の中心寄りに位置づけられ、
前袖部の前縫着部において前身頃の第１縫着基準位置に縫いつけられる部分が、ショルダーポイントよりも前身頃に向かって突出し、かつ、前記突出部の基部よりも前身頃に向かって突出し、かつ、前縫着部と第１縫着端部との境界点よりも前身頃に向かって突出しており、
前記後袖部の後縫着部において後身頃の第２縫着基準位置に縫いつけられる部分が、ショルダーポイントよりも後身頃に向かって突出し、かつ、前記突出部の基部よりも後身頃に向かって突出し、かつ、後縫着部と第２縫着端部との境界点よりも後身頃に向かって突出することを特徴とする上衣。
【請求項３】
前記第１縫着基準位置は、着衣者の大結節稜に重なる位置に設定される請求項１または２に記載の上衣。
【請求項４】
前記第２縫着基準位置は、着衣者の関節下結節に重なる位置に設定される請求項１または２に記載の上衣。
【請求項５】
前縫着部と第１縫着端部との境界点と、後縫着部と第２縫着端部との境界点とを結ぶとともに幅方向に沿った袖幅線が引かれ、
ショルダーポイントから袖幅線に直交するように引いた線の長さをＡとし、前袖部の前縫着部において前身頃の第１縫着基準位置に縫いつけられる部分から袖幅線に直交するように引いた線の長さをＢとし、後袖部の後縫着部において後身頃の第２縫着基準位置に縫いつけられる部分から袖幅線に直交するように引いた線の長さをＣとしたとき、Ａ＜Ｂ、Ａ＜Ｃの関係が成立する請求項１または２に記載の上衣。
【発明の詳細な説明】
【技術分野】
【０００１】
本発明は、着衣者の上半身に着けられる上衣に関する。
【背景技術】
【０００２】
従来、例えば、図１７に示すように、セットインタイプの上衣１０１は、身頃１０２，１０３の所定の位置に袖１０４を縫いつけることにより製造されている。図１８は、この上衣１０１を製造するためのパターン（型紙）を示す展開図である。図１８に示すように、上衣１０１は、前身頃１０２、後身頃１０３のそれぞれに袖１０４を縫いつけて製造される。上衣１０１の袖１０４は、身頃１０２，１０３に縫いつけられる部分１０５が円弧状に構成されており、その頂点である点（以下「ショルダーポイント」という）ＳＰが、身頃１０２，１０３の肩線１０６上に一致させられて身頃１０２，１０３に縫着される。このショルダーポイントＳＰは、袖１０４を展開した状態で、この袖１０４の幅方向のほぼ中心を通る袖山線１０７上に位置するように設定される（例えば特許文献１ないし３等参照）。【０００３】
このようにして製造された上衣１０１は、図１７に示すように、袖１０４が、身頃１０２、１０３の肩線１０６の傾斜方向よりも下方に傾斜して形成される。【０００４】
また、セットインタイプの上衣として、袖において身頃に縫いつけられる部分が、袖山線に対応する位置（ショルダーポイント）で最も凹んだ凹状に構成されたものがある（例えば特許文献４参照）。このような形状の袖が身頃に縫いつけられると、特許文献４の図１に示されるように、袖が、身頃１０２，１０３の肩線１０６の傾斜方向よりも上方に傾斜して形成されることとなる。【０００５】
また、従来のセットインタイプの上衣として、例えば、前後の身頃と袖との接続部に形成されるアームホールに、袖の下から前後にかけて三日月形の脇下マチが取り付けられたものがある（例えば特許文献５参照）。【０００６】
また、従来のセットインタイプの上衣として、例えば、袖部の袖山にダーツを設けることによって、体にフィットしやすく、見た目に綺麗にされたものがある（例えば特許文献６参照）。【０００７】
また、従来のセットインタイプの上衣として、袖において前身頃、後身頃に縫いつけられる部分（袖付け線）に、弧状の山型凸縁（１０ａ）と、この山型凸縁の両側に谷縁（１０ｂ，１０ｃ）を介して連なる角型凸縁（１０ｄ，１０ｅ）とが形成されたものがある（例えば特許文献７）。この構成により、従来の上衣は、腕を高く上げたときの脇下の引きつれ現象、腕の下げ動作に伴う脇下や胸幅のだぶつきやしわの発生がなくなる。【０００８】
また、図１９、図２０に示すように、ラグランタイプの上衣１０１として、袖１０４の一部が身頃１０２，１０３の衿ぐり１０８に達するように構成されるものがある。すなわち、袖１０４は、身頃１０２，１０３の衿ぐり１０８に向かって突出する突出部１０９を有する（例えば特許文献８参照）。この突出部１０９は、その一部１１０が前身頃１０２に縫いつけられ、他の一部１１１が後身頃１０３に縫いつけられる。【０００９】
この突出部１０９において、前身頃１０２に縫いつけられる部分１１０は、その縁部が、袖１０４の幅方向の中心付近を通る袖山線１０７に向かって凹むような曲線で表される。同様に、突出部１０９において、後身頃１０３に縫いつけられる部分１１１は、その縁部（袖付け線）が、袖山線１０７に向かって凹むような曲線で表される。【００１０】
このように、突出部１０９において、前身頃１０２に縫いつけられる部分１１０、および後身頃１０３に縫いつけられる部分１１１が、袖山線１０７に向かって凹むような曲線に構成された場合、袖１０４が身頃１０２，１０３に縫いつけられた状態において、袖１０４は、身頃１０２，１０３の肩線１０６の傾斜方向よりも下方に傾斜して形成される（図１９参照）。【００１１】
また、従来のラグランタイプの上衣として、例えば、袖（袖身頃１）が前後身頃２に縫いつけられる部分の縁部（袖付け線）が、縫目中心位置よりも脇下側において変曲点部分（９，１０）を有するほぼＳ字形の三次曲線とされたものがある（例えば特許文献９参照）。【００１２】
従来の技術では、腕の上下、前後の全ての動きを考慮した上衣は、殆どなかった。このような動きを考慮した上衣としては、マチを用いたもの（特許文献５）や袖ぐりを非常に大きくしたものなどがあった。袖ぐりを非常に大きくしたものは、このような動きに追従するものではなく、マチなどのパーツを用いず、袖ぐりを非常に大きくせずに、本質的に身頃と袖のパターン（型紙）を工夫するだけでは、腕の上下、前後の全ての動きに追従することが難しかった。
【特許文献１】日本国特開２００７−２４７０８３号公報
【特許文献２】日本国特開２００６−２８３２１４号公報
【特許文献３】日本国実開昭６１−１１７２５号公報
【特許文献４】日本国特開平１１−３６１１８号公報
【特許文献５】日本国特開平９−３１０２１３号公報
【特許文献６】日本国特許公報第２８７２１２５号
【特許文献７】日本国実公昭６３−７３４号公報
【特許文献８】日本国特開昭５８−０８７３０９号公報
【特許文献９】日本国実公昭６２−３６８１２号公報
【発明の開示】
【発明が解決しようとする課題】
【００１３】
例えば、着衣者がセットインタイプまたはラグランタイプの上衣を着けた状態で運動をする際に、その腕を上下に大きく振る場合がある。この場合、従来の上衣では、袖が、身頃の肩線の傾斜よりも下側に傾斜していることから、腕を上下に振ったときに、身頃が袖に引っ張られることになり、これが腕を動かす場合の抵抗となって、思うような腕の動きを実現し難い場合があった。また、従来の上衣では、袖が、身頃の肩線の傾斜よりも上側に傾斜して形成されるものもあるが、これについても着衣者が腕を前後に振った場合に、身頃が袖に引っ張られてしまい、腕を動かす際の抵抗となっていた。【００１４】
そこで、本発明は、身頃と袖のパターンを工夫することによって、腕を上下、前後に動かしたときに、身頃が袖に引っ張られることを大幅に低減できる（すなわち、腕の動きに追従することができる）上衣を提供することを課題とする。
【課題を解決するための手段】
【００１５】
本発明は上記の課題を解決するために以下の技術的手段を講じた。【００１６】
すなわち、本発明は、前身頃と、後身頃と、これらの身頃に縫いつけられる袖とを備えるとともに、着衣者の上半身に着けられる上衣において、袖は、前袖部と後袖部を備えるとともに、前袖部と後袖部とを縫い合わせることによって筒状に構成され、前袖部は、前身頃に縫いつけられる前縫着部と、袖部を筒状に構成すべく後袖部に縫いつけられる第１縫着端部とを備え、後袖部は、後身頃に縫いつけられる後縫着部と、袖部を筒状に構成すべく前袖部に縫いつけられる第２縫着端部とを備え、前縫着部が前身頃に縫いつけられ、かつ後縫着部が後身頃に縫いつけられたときに、前縫着部と後縫着部との境界部が、着衣者の肩先に対応するショルダーポイントとされており、前身頃は、袖の前縫着部が縫いつけられる第１縫着部を備え、この第１縫着部には、袖の前縫着部が縫いつけられるときの基準となる第１縫着基準位置が設定されており、第１縫着基準位置は、第１縫着部のうちで、最も前身頃の幅方向の中心寄りに位置づけられ、後身頃は、袖の後縫着部が縫いつけられる第２縫着部を備え、第２縫着部には、袖の後縫着部が縫いつけられるときの基準となる第２縫着基準位置が設定されており、第２縫着基準位置は、第２縫着部のうちで、最も後身頃の幅方向の中心寄りに位置づけられ、前袖部の前縫着部において前身頃の第１縫着基準位置に縫いつけられる部分が、ショルダーポイントよりも前身頃に向かって突出し、かつ、前縫着部と第１縫着端部との境界点よりも前身頃に向かって突出しており、後袖部の後縫着部において後身頃の第２縫着基準位置に縫いつけられる部分が、ショルダーポイントよりも後身頃に向かって突出し、かつ、後縫着部と第２縫着端部との境界点よりも後身頃に向かって突出していることを特徴とする。【００１７】
かかる構成によれば、前身頃の第１縫着基準位置が、第１縫着部のうちで、前身頃の幅方向の中心に最も寄った位置に設定され、さらに、前袖部の前縫着部において前身頃の第１縫着基準位置に縫いつけられる部分が、ショルダーポイントよりも前身頃に向かって突出し、かつ、前縫着部と第１縫着端部との境界点よりも前身頃に向かって突出して形成されることで、袖の前縫着部の近傍範囲に腕の動きに追従するための「ゆとり」が生じる。このゆとりが生じることで、着衣者が、袖を上下前後に動かした場合であっても、身頃がこの袖に引っ張られることを低減できるようになる。【００１８】
しかも、後身頃の第２縫着基準位置が、第２縫着部のうちで、後身頃の幅方向の中心に最も寄った位置に設けられ、さらに、後袖部の後縫着部において後身頃の第２縫着基準位置に縫いつけられる部分が、ショルダーポイントよりも後身頃に向かって突出し、かつ、後縫着部と第２縫着端部との境界点よりも後身頃に向かって突出していることで、袖の後縫着部の近傍範囲にゆとりが生じる。袖にゆとりが生じることで、着衣者が、袖を上下前後に動かした場合であっても、身頃のこの袖に引っ張られることを低減できるようになる。【００１９】
また、本発明は、前身頃と、後身頃と、これらの身頃に縫いつけられる袖とを備えるとともに、着衣者の上半身に着けられる上衣において、袖は、前袖部と後袖部を備えるとともに、前袖部と後袖部とを縫い合わせることによって筒状に構成され、前袖部は、前身頃に縫いつけられる前縫着部と、袖部を筒状に構成すべく後袖部に縫いつけられる第１縫着端部とを備え、後袖部は、後身頃に縫いつけられる後縫着部と、袖部を筒状に構成すべく前袖部に縫いつけられる第２縫着端部とを備え、袖には、前縫着部が前身頃に縫いつけられ、かつ後縫着部が後身頃に縫いつけられたときに、着衣者の肩先に対応するショルダーポイントが設定されており、さらに、袖には、この袖をラグラン袖とするために、身頃の衿ぐりに向けて突出する突出部が前縫着部および後縫着部に一体に設けられており、前身頃は、袖の前縫着部が縫いつけられる第１縫着部を備え、この第１縫着部には、袖の前縫着部が縫いつけられるときの基準となる第１縫着基準位置が設定されており、第１縫着基準位置は、第１縫着部のうちで、最も前身頃の幅方向の中心寄りに位置づけられ、後身頃は、袖の後縫着部が縫いつけられる第２縫着部を備え、第２縫着部には、袖の後縫着部が縫いつけられるときの基準となる第２縫着基準位置が設定されており、第２縫着基準位置は、第２縫着部のうちで、最も後身頃の幅方向の中心寄りに位置づけられ、前袖部の前縫着部において前身頃の第１縫着基準位置に縫いつけられる部分が、ショルダーポイントよりも前身頃に向かって突出し、かつ、前記突出部の基部よりも前身頃に向かって突出し、かつ、前縫着部と第１縫着端部との境界点よりも前身頃に向かって突出しており、前記後袖部の後縫着部において後身頃の第２縫着基準位置に縫いつけられる部分が、ショルダーポイントよりも後身頃に向かって突出し、かつ、前記突出部の基部よりも後身頃に向かって突出し、かつ、後縫着部と第２縫着端部との境界点よりも後身頃に向かって突出していることを特徴とする。【００２０】
かかる構成によれば、前身頃の第１縫着基準位置が、第１縫着部のうちで、前身頃の幅方向の中心に最も寄った位置に設定され、さらに、前袖部の前縫着部において前身頃の第１縫着基準位置に縫いつけられる部分が、ショルダーポイントよりも前身頃に向かって突出し、かつ、前記突出部の基部よりも前身頃に向かって突出し、かつ、前縫着部と第１縫着端部との境界点よりも前身頃に向かって突出することで、袖の前縫着部の近傍範囲にゆとりが生じる。このゆとりが生じることで、着衣者が、袖を上下前後に動かした場合であっても、身頃がこの袖に引っ張られることを低減できるようになる。【００２１】
また、後身頃の第２縫着基準位置が、第２縫着部のうちで、後身頃の幅方向の中心に最も寄った位置に設定され、さらに、後袖部の後縫着部において後身頃の第２縫着基準位置に縫いつけられる部分が、ショルダーポイントよりも後身頃に向かって突出し、かつ、前記突出部の基部よりも後身頃に向かって突出し、かつ、後縫着部と第２縫着端部との境界点よりも後身頃に向かって突出することで、袖の前縫着部の近傍範囲にゆとりが生じる。このゆとりが生じることで、着衣者が、袖を上下前後に動かした場合であっても、身頃がこの袖に引っ張られることを低減できるようになる。【００２２】
また、本発明は、前記第１縫着基準位置は、着衣者の大結節稜に重なる位置に設定される構成を採用できる。【００２３】
かかる構成によれば、前身頃の第１縫着基準位置が、着衣者の大胸筋が停止する大結節稜に重なる位置に設けられていることから、前身頃が袖に引っ張られることを、より効果的に低減できるようになる。すなわち、この大結節稜の近傍は、筋肉が大きく、そして激しく動く場所であるので、この位置に袖の一部が配置されることで、この動きに袖が追従することにより、前身頃が袖に引っ張られることを低減できる。【００２４】
また、本発明は、前記第２縫着基準位置は、着衣者の関節下結節に重なる位置に設定される構成を採用できる。【００２５】
かかる構成によれば、着衣者の上腕三頭筋の長頭の起始となる肩甲骨の関節下結節に重なるように設けられていることから、後身頃が袖に引っ張られることを、より効果的に低減できるようになる。すなわち、この関節下結節の近傍は、筋肉が大きく、そして激しく動く場所であるので、この位置に袖の一部が配置されることで、この動きに袖が追従することにより、後身頃が袖に引っ張られることを低減できる。【００２６】
また、本発明は、前縫着部と第１縫着端部との境界点と、後縫着部と第２縫着端部との境界点とを結ぶとともに幅方向に沿った袖幅線が引かれ、ショルダーポイントから袖幅線に直交するように引いた線の長さをＡとし、前袖部の前縫着部において前身頃の第１縫着基準位置に縫いつけられる部分から袖幅線に直交するように引いた線の長さをＢとし、後袖部の後縫着部において後身頃の第２縫着基準位置に縫いつけられる部分から袖幅線に直交するように引いた線の長さをＣとしたとき、Ａ＜Ｂ、Ａ＜Ｃの関係が成立する構成を採用できる。【００２７】
かかる構成によれば、Ａ、Ｂ、Ｃを上記の関係に設定することにより、上衣の袖は、身頃の肩線の傾斜よりも上向き傾斜して形成されることになり、着衣者が腕を上下に動かした場合に、より効果的に、身頃が袖に引っ張れないようにすることができる。
【発明の効果】
【００２８】
本発明によれば、上衣を着用した者が腕を上下、前後に動かしたときに、身頃が袖に引っ張られることを低減できる（すなわち、腕の動きに追従することができる）。
【図面の簡単な説明】
【００２９】
【図１】図１は、第１実施形態を示し、前身頃の半分と後身頃の半分を合わせた展開図である。
【図２】図２は、袖の展開図である。
【図３】図３は、前身頃と袖を示す展開図である。
【図４】図４は、後身頃と袖を示す展開図である。
【図５】図５は、人体の上半身を示す正面図である。
【図６】図６は、人体の上半身を示す骨格図である。
【図７】図７は、人体の上腕を示す背面図である。
【図８】図８は、人体の上腕を示す骨格図である。
【図９】図９は、上衣の正面図である。
【図１０】図１０は、着衣者が上衣を着けて腕を上下に動かす状態を示し、（ａ）は従来の上衣を着けた場合の正面図、（ｂ）は本発明の上衣を着けた場合の正面図である。
【図１１】図１１は、着衣者が上衣を着けて腕を前後に動かす状態を示し、（ａ）は従来の上衣を着けた場合の平面図、（ｂ）は本発明の上衣を着けた場合の平面図である。
【図１２】図１２は、第２実施形態を示し、前身頃の半分と後身頃の半分を合わせた展開図である。
【図１３】図１３は、袖の展開図である。
【図１４】図１４は、前身頃と袖を示す展開図である。
【図１５】図１５は、後身頃と袖を示す展開図である。
【図１６】図１６は、上衣の正面図である。
【図１７】図１７は、従来のセットインタイプの上衣を示す正面図である。
【図１８】図１８は、従来のセットインタイプの上衣の前身頃、後身頃、袖を示す展開図である。
【図１９】図１９は、従来のラグランタイプの上衣を示す正面図である。
【図２０】図２０は、従来のラグランタイプの上衣の前身頃、後身頃、袖を示す展開図である。
【符号の説明】
【００３０】
１    上衣
２    前身頃
３    後身頃
４    袖
６    第１縫着部
１２  第２縫着部
２１  第１縫着基準位置
２５  大胸筋
２６  大結節稜
５１  前袖部
５２  後袖部
５４  前縫着部
５５  後縫着部
８１  突出部
ＳＰ  ショルダーポイント
【発明を実施するための最良の形態】
【００３１】
以下、本発明を実施するための最良の形態を、図面に基づき説明する。【００３２】
図１から図１１は、上衣の第１実施形態を示している。この第１実施形態では、いわゆるセットインタイプの半袖の上衣１を例示する。【００３３】
図１から図４は、上衣１を製造するにあたり、予め作製されるパターン（型紙）を示している。上衣１は、このパターンに基づいて生地を裁断し、縫製することで、所望の形状に形成される。以下、上衣１について、このパターンに基づいて説明する。【００３４】
上衣１は、前身頃（front body）２、後身頃(back body)３、および袖４を備えている。前身頃２は、上衣１の衿ぐり(neckline)を形成するための前衿ぐり５ａと、袖４が縫いつけられる袖ぐり（armhole。以下「第１縫着部」という）６とを備える。また、前身頃２は、前衿ぐり５ａの縁を示す前衿ぐり線(front neckline)７ａの上端から第１縫着部６の上端にかけて、所定の角度で傾斜した肩線８と、第１縫着部６の縁を示す線（以下「前袖ぐり線(front armhole line)」という）９ａと、前袖ぐり線９ａの下端から鉛直方向に引かれる脇線(side line)１０と、脇線１０の下端からほぼ水平方向に引かれる裾線(bottom line)１１によって区切られる。【００３５】
第１縫着部６の上端は、一般にショルダーポイントＳＰと呼ばれる。ショルダーポイントＳＰは、着衣者が上衣１を着けた際に、その肩先に対応する位置（点）である。【００３６】
後身頃３は、上衣１の衿ぐりを形成するための後衿ぐり５ｂと、袖４が縫いつけられる袖ぐり（以下「第２縫着部」という）１２を備える。また、後身頃３は、後衿ぐり５ｂの縁を示す後衿ぐり線７ｂの上端部から第２縫着部１２の上端にかけて所定の角度で傾斜した肩線８と、第２縫着部１２の縁を示す線（以下「後袖ぐり線」という）９ｂと、後袖ぐり線９ｂの下端から鉛直方向に引かれた脇線１０と、脇線１０の下端からほぼ水平方向に引かれる裾線１１等によって区切られる。【００３７】
第２縫着部１２の上端は、第１縫着部６の上端と同様に、ショルダーポイントＳＰとなっている。前身頃２と後身頃３とは、第１縫着部６のショルダーポイントＳＰと、第２縫着部１２のショルダーポイントＳＰとが一致するように縫い合わされる。【００３８】
図１、図３、図４に示す前身頃２、後身頃３は、幅方向の中心を通る中心線によって半分に分けられた状態を示しており、残りの半分は、図示が省略されている。図１、図３、図４に示される前身頃２、後身頃３は、着衣者の左半身に着けられる部分である。図１、図３、図４に示す前身頃２および後身頃３は、その中心線に対して線対称となる形状となっている。以下、前身頃２の中心線を前中心線１５ａといい、後身頃３の中心線を後中心線１５ｂという。【００３９】
本実施形態において、前中心線１５ａおよび後中心線１５ｂは、仮想的に表されるものであり、必ずしも実際の身頃２，３に表示されるものではない。しかしながら、この身頃２，３のパターン（型紙）には、表示される場合がある。以下、後述される種々の中心線についても同様である。【００４０】
第１縫着部６の前袖ぐり線９ａは、図１に示すように、その上端部から下端部にかけて、前身頃２の幅方向の中心（前中心線１５ａ）に向かって凹んだ曲線とされている。前身頃２の第１縫着部６は、その上端部と下端部との間で、最も凹んだ位置が、袖４が縫いつけられる際の基準位置となっている。以下、この基準位置を第１縫着基準位置２１という。【００４１】
第１縫着基準位置２１は、この第１縫着部６のうちで、最も前身頃２の幅方向の中心（前中心線１５ａ）寄りに位置づけられる。この第１縫着基準位置は、また、この第１縫着基準位置２１は、着衣者の大胸筋（図５において符号２５で示す）が停止(insertion)する大結節稜（図６において符号２６で示す部分）に重なる位置に設けられている。【００４２】
第２縫着部１２の後袖ぐり線９ｂは、図１に示すように、その上端部から下端部にかけて、後身頃３の幅方向の中心（後中心線１５ｂ）に向かって凹んだ曲線とされている。後縫着部は、その上端部と下端部との間で、最も凹んだ位置が、袖４が縫いつけられる際の基準位置となっている。以下、この基準位置を第２縫着基準位置３１という。【００４３】
第２縫着基準位置３１は、この第２縫着部１２のうちで、最も後身頃３の幅方向の中心（後中心線１５ｂ）寄りに位置づけられる。この第２縫着基準位置３１は、着衣者の上腕三頭筋の長頭（図７において符号３２で示す）の起始(origin)となる肩甲骨の関節下結節（図８において符号３３で示す）に重なるように設けられる。【００４４】
また、図１において、前身頃２と後身頃３は、その脇線１０同士が一致されて縫合された状態で示されている。この状態において、前身頃２の第１縫着部６の前袖ぐり線９ａと、後身頃３の第２縫着部１２の後袖ぐり線９ｂとが連続的に繋がって形成されており、この前袖ぐり線９ａと後袖ぐり線９ｂとにより、下方（衿ぐりから裾に向かう方向をいう）に凹んだ凹部が形成される。【００４５】
このように第１縫着部６と第２縫着部１２とが一体となって形成される凹部は、一般にアームホールＡＨと呼ばれる。このアームホールＡＨの長さは、第１縫着部６の長さ（前袖ぐり線９ａの長さ）と、第２縫着部１２の長さ（後袖ぐり線９ｂの長さ）の和に等しい。このアームホールＡＨの最下端、すなわち、凹部の最も深い底の部位は、一般に「鎌底（kamazoko）」（符号３５で示す）と呼ばれる。この鎌底３５は、前身頃２と後身頃３が縫い合わされた状態で、その脇線１０上に位置する。【００４６】
図１に示すように、前身頃２において、この鎌底３５と、ショルダーポイントＳＰとを結ぶ仮想的な直線１７が引かれたとき、前身頃２の第１縫着部６を示す前袖ぐり線９ａは、この直線１７よりも前身頃２の幅方向の中心（前中心線１５ａ）寄りに位置づけられる。また、この前袖ぐり線９ａは、この直線１７から前身頃２の幅方向の中心（前中心線１５ａ）に向かって円弧状に湾曲して凹んだ凹状に形成されている。第１縫着基準位置２１は、この直線１７よりも前身頃２の幅方向の中心（前中心線１５ａ）寄りに位置づけられる。【００４７】
上記の前身頃２の第１縫着部６に袖４の前縫着部５４を縫いつけると、前身頃２は、鎌底３５とショルダーポイントＳＰとを結んだ直線１７と前袖ぐり線９ａとで囲まれた領域を、袖４の一部が占めることになる。【００４８】
また、図１に示すように、後身頃３において、この鎌底３５と、ショルダーポイントＳＰとを結ぶ仮想的な直線１８が引かれたとき、後身頃３の第２縫着部１２を示す前袖ぐり線９ｂは、この直線１８よりも後身頃３の幅方向の中心（後中心線１５ｂ）寄りに位置づけられる。また、この後袖ぐり線９ｂは、この直線１８から後身頃３の幅方向の中心（後中心線１５ｂ）に向かって円弧状に湾曲して凹んだ凹状に形成されている。第２縫着部１２の第２縫着基準位置３１は、この直線１８よりも後身頃３の幅方向の中心（後中心線１５ｂ）寄りに位置づけられる。【００４９】
上記の後身頃３の第２縫着部１２に袖４の後縫着部５５を縫いつけると、後身頃３は、鎌底３５とショルダーポイントＳＰとを結んだ直線１８と後袖ぐり線９ａとで囲まれた領域に、袖４の一部が占めることとなる。【００５０】
また、第１縫着部６の長さ（前袖ぐり線９ａの長さ）をＬ１とし、前身頃２のショルダーポイントＳＰから第１縫着基準位置２１までの長さをＬ２としたとき、０．４５Ｌ１≦Ｌ２≦０．５５Ｌ１の範囲内とされることが望ましい。こうすることにより、腕の上下、前後の動きにおいて、筋肉が激しく動く（そのため皮膚が伸縮する）大結節陵２６に相当する位置に袖４の一部（前袖付け線６０ａの頂点６７の近傍の部分）が配置され、袖４がこの動きに追従することができ、前身頃２が袖４に引っ張られることを低減できる。また、第１縫着基準位置２１は、この範囲内であれば、アームホールＡＨの長さ、すなわち、前袖ぐり線９ａの長さと後袖ぐり線９ｂの長さの和の２％程度の誤差が許容される。【００５１】
また第２縫着部１２の長さ（後袖ぐり線９ｂの長さ）をＬ３とし、後身頃３のショルダーポイントＳＰから第２縫着基準位置３１までの長さをＬ４としたとき、０．３５Ｌ３≦Ｌ４≦０．４５Ｌ３の範囲内とされることが望ましい。こうすることにより、腕の上下、前後の動きにおいて、筋肉が激しく動く（そのため皮膚が伸縮する）関節下結節３３に相当する位置に袖４の一部（後袖付け線６０ｂの頂点７２の近傍の部分）が配置され、袖４がこの動きに追従することができ、後身頃３が袖４に引っ張られることを低減できる。また、第２縫着基準位置３１は、この範囲内であれば、アームホールＡＨの長さ、すなわち、前袖ぐり線９ａの長さと後袖ぐり線９ｂの長さの和の２％程度の誤差が許容される。【００５２】
前身頃２および後身頃３には、図１に示すように、鎌底３５に接するように、チェスト線３７が水平状に引かれている。以下、前身頃２に引かれたチェスト線３７を前チェスト線３７ａといい、後身頃３に引かれたチェスト線３７を後チェスト線３７ｂという。【００５３】
前身頃２には、第１縫着基準位置２１を通り、前チェスト線３７ａに対して直角な胸幅案内線(chest guide line)４１が引かれている。また、前身頃２には、第１縫着基準位置２１から胸幅案内線４１に直角な胸幅線(chest line)４２が引かれている。また、図１に示すように、前身頃２には、この前身頃２の衿ぐりの縁を示す衿ぐり線の上端を通り、胸幅案内線４１と直角な第１補助線４３が仮想的に引かれている。【００５４】
後身頃３には、第２縫着基準位置３１を通り、後チェスト線３７ｂに対して直角な背幅案内線(back guide line)４４が引かれている。また、後身頃３には、第２縫着基準位置３１から背幅案内線４４に直角な背幅線(back line)４５が引かれている。また、図１に示すように、後身頃３には、この後身頃３の衿ぐりの縁を示す後衿ぐり線７ｂの上端を通り、後身頃３の後中心線１５ｂに直角な第２補助線４６が仮想的に引かれている。この第２補助線４６は、前身頃２側に延長され、前身頃２の前中心線１５ａに届いている。第２補助線４６は、前中心線１５ａと直角に交わっている。【００５５】
袖４は、図２に示すように展開された状態において、その幅方向の中心を通る袖山線(sleeve head seam line)４７によって、前身頃２に縫いつけられる前袖部５１と、後身頃３に縫いつけられる後袖部５２とに分けられる。すなわち、この袖山線４７は、前袖部５１と後袖部５２とを分ける境界線となっている。【００５６】
前袖部５１は、前身頃２の第１縫着部６に縫いつけられる前縫着部５４を備える。この前袖部５１は、その幅方向の端部（以下「第１縫着端部」という）５１ａが、後袖部５２に縫いつけられるようになっている。【００５７】
後袖部５２は、後身頃３の第２縫着部１２に縫いつけられる後縫着部５５を備える。この後袖部５２は、その幅方向の端部（以下「第２縫着端部」という）５２ａが、前袖部５１に縫いつけられるようになっている。【００５８】
袖４は、前袖部５１の第１縫着端部５１ａと、後袖部５２の第２縫着端部５２ａとを縫い合わせることにより、筒状に構成される。筒状とされた袖４は、その筒心方向の一端部が袖口５７とされ、他端部が前身頃２および後身頃３に縫いつけられる。【００５９】
前袖部５１の前縫着部５４と後袖部５２の後縫着部５５とは、連続状に繋がって形成されている。すなわち、前縫着部５４の縁を示す前袖付け線６０ａと、後縫着部５５の縁を示す後袖付け線６０ｂとが連続状に繋がって形成されている。【００６０】
この前縫着部５４と後縫着部５５の境界部は、袖４の袖山線４７上に位置している。この境界部は、袖４を前身頃２および後身頃３に縫いつけたときに、着衣者の肩先に対応するショルダーポイントＳＰとなっている。袖４は、そのショルダーポイントＳＰが、前身頃２および後身頃３のショルダーポイントＳＰと一致するように、前身頃２および後身頃３に縫いつけられる。なお、このショルダーポイントＳＰは、袖４の幅方向の中央部で、前袖付け線６０ａと後袖付け線６０ｂとによって形成される凹部５８の最底部となっている。【００６１】
図２に示すように、袖４は、前縫着部５４の縁を示す前袖付け線６０ａと、後縫着部５５の縁を示す後袖付け線６０ｂと、前袖部５１の第１縫着端部５１ａを示す前袖下線６１ａと、後袖部５２の第２縫着端部５２ａを示す後袖下線６１ｂと、袖口５７の縁を示す袖口線６２とによって区切られている。【００６２】
前袖下線６１ａと後袖下線６１ｂは、袖山線４７に対して所定の角度で傾斜して形成されており、これにより、袖４は、筒状とされた状態で、袖口５７に向かうにつれて先細りとなる。【００６３】
前縫着部５４の縁を示す前袖付け線６０ａは、その一端部がショルダーポイントＳＰと一致している。また、前袖付け線６０ａは、その他端部が前袖下線６１ａとの境界点（以下「第１境界点」という）６５となっている。この第１境界点６５は、前袖部５１において、第１縫着端部５１ａと前縫着部５４との境界を示す点である。前袖付け線６０ａは、ショルダーポイントＳＰから第１境界点６５にかけて、袖口５７（図９）から離れる方向、すなわち、前身頃２に向かう方向に突出する曲線となっている。【００６４】
前袖部５１は、この前袖付け線６０ａの最も突出した位置（以下「前袖付け線の頂点」という）６７が、前身頃２の第１縫着基準位置２１に縫いつけられる。前袖付け線６０ａの頂点６７は、ショルダーポイントＳＰよりも前身頃２に向かって突出している。【００６５】
後縫着部５５の縁を示す後袖付け線６０ｂは、その一端部がショルダーポイントＳＰと一致している。また、後袖付け線６０ｂは、その他端部が、後袖下線６１ｂとの境界点（以下「第２境界点」という）７０となっている。この第２境界点７０は、後袖部５２において、第２縫着端部５２ａと後縫着部５５との境界を示す点である。後袖付け線６０ｂは、ショルダーポイントＳＰから第２境界点７０にかけて、袖口５７（図９）から離れる方向、すなわち、後身頃３に向かう方向に突出する曲線となっている。【００６６】
後袖部５２は、この後袖付け線６０ｂの最も突出した位置（以下「後袖付け線の頂点」という）７２が、後身頃３の第２縫着基準位置３１に縫いつけられる。後袖付け線６０ｂの頂点７２は、ショルダーポイントＳＰよりも後身頃３に向かって突出している。【００６７】
また、第１境界点６５と第２境界点７０とを結ぶ線（以下「袖幅線」という）７５を引いたとき、ショルダーポイントＳＰから袖幅線７５に直交するように引いた線７６の長さＡとし、前袖付け線６０ａの頂点６７から袖幅線７５に直交するように引いた線７７の長さをＢとしたとき、Ａ＜Ｂの関係が成り立つ。【００６８】
また、後袖付け線６０ｂの頂点７２から袖幅線７５に直交するように引いた線７８の長さをＣとしたとき、Ａ＜Ｃの関係が成り立つ。さらに、ＢとＣの関係は、Ｂ＝Ｃとしてもよいが、腕の動きは後方向より前方向の方が可動範囲が広いことを考慮して、Ｂ＜Ｃの関係になるように設定してもよい。なお、ショルダーポイントＳＰから袖幅線７５に直交するように引いた線７６は、袖幅線７５と一致している。【００６９】
これによって、前身頃２と後身頃３を縫い合わせるとともに、袖４をこれらの身頃に縫いつけることにより上衣１を製造したとき、図９に示すように、袖４の一部が前身頃２（後身頃３）の肩線８を延長した線よりも上側に位置することになる。【００７０】
また、このショルダーポイントＳＰから袖幅線７５までの距離Ａは、アームホールＡＨの長さをＬ５としたとき、（１／８）×Ｌ５−０．０２×Ｌ５≦Ａ≦（１／８）×Ｌ５＋０．０２×Ｌ５の範囲内で設定されることが望ましい。こうすることにより、袖付け線がスムーズ（カーブがきつくならないよう）にできるため、縫製しやすくパッカリングなどの問題が生じ難くなる。【００７１】
また、前袖付け線６０ａの頂点６７から袖幅線７５までの距離Ｂ、および後袖付け線６０ｂの頂点７２から袖幅線７５までの距離Ｃは、（１／８）×Ｌ５−０．０１×Ｌ５≦Ｂ≦（１／８）×Ｌ５＋０．０３×Ｌ５、（１／８）×Ｌ５−０．０１×Ｌ５≦Ｃ≦（１／８）×Ｌ５＋０．０３×Ｌ５の範囲内で設定されることが望ましい。こうすることにより、袖付け線がスムーズ（カーブがきつくならないよう）にできるため、縫製しやすく、パッカリングなどの問題が生じ難くなる。【００７２】
この上衣１の袖４、前身頃２、および後身頃３に用いられる生地は、例えば、伸縮性のあるものやないものが適宜用いられる。少なくとも脇付近に伸縮性のある生地を用いた上衣１は、腕の動きに追従するゆとりに生地の伸縮が加わり、腕の動きにより追従しやすくなる。【００７３】
以上説明した第１実施形態に係る上衣１によれば、前身頃２の第１縫着基準位置２１が、第１縫着部６のうちで、前身頃２の幅方向の中心に最も寄った位置に設けられ、さらに、前袖部５１の前縫着部５４において、第１縫着部６に縫いつけられる点（前袖付け線６０ａの頂点６７）が袖４のショルダーポイントＳＰよりも前身頃２に向かって突出されることで、着衣者が腕を後方に大きく動かしたときに、前袖部５１における前袖付け線６０ａの頂点６７の近傍の部分がこの動きに追従し、前身頃２が袖４（前袖部５１）に引っ張られ難くなる。【００７４】
この点について、より具体的に説明する。上述のように、前身頃２の第１縫着部６は、その鎌底３５とショルダーポイントＳＰとを結ぶ直線１７よりも、前中心線１５ａ寄りに凹状に形成されていることから、この第１縫着部６の前袖ぐり線９ａと前記直線１７とによって囲まれた領域を、袖４の一部が占めることとなる。【００７５】
図２を参照すると、上記のように囲まれた領域は、袖４のショルダーポイントと第１境界点６５とを結ぶ直線１９ａが仮想的に引かれたとき、この直線１９ａと前袖付け線６０ａとによって囲まれた領域に相当する（以下、この領域に相当する部分を「前袖部側における袖の基部」４ａという）。【００７６】
本実施形態では、この前袖部５４側における袖４の基部４ａが、前身頃２においてショルダーポイントＳＰと鎌底３５とを結ぶ直線１７よりも、前中心線１５ａ側に入りこんだ状態となっている。この状態で前縫着部５４が第１縫着部６に縫いつけられることにより、前身頃２には、その鎌底３５とショルダーポイントＳＰとを結ぶ直線１７および前袖ぐり線９ａとによって囲まれた領域を、前袖部５１側における袖４の基部４ａが占めることになる。【００７７】
着衣者が上衣１を着けた状態で、腕を後ろに大きく振ったとき、この前袖部５１側における袖４の基部４ａは、この腕の動きに追従する袖４の移動量を吸収して、前身頃２が袖４に引っ張られることを防止する。すなわち、この前袖部５１側における袖４の基部４ａは、若干の膨らみ（ゆとり）をもって形成されており、袖４が大きく振られたときに、その動きに追従するようになっている。このゆとりは、図２に示すように、袖付け線６０ａ、６０ｂが従来の袖の袖付け線（符号４８で示す）よりも身頃２，３側に大きく突出していることにより形成される。すなわち、本実施形態では、この従来の袖の袖付け線４８と、本実施形態における袖付け線６０ａ，６０ｂと袖下線６１ａ，６１ｂとによって囲まれた部分（図２においてハッチングで示された部分）の面積の分だけ、従来の袖よりも面積が大きくなっており、ゆとりはこの部分によって生じるものである。【００７８】
これにより、上衣１は、着衣者が腕を後ろに大きく動かした場合であっても、前袖部５１側における袖４の基部４ａがその袖の動きに追従し、これにより、前身頃２が袖４に引っ張られることを低減できる。【００７９】
しかも、上衣１に、前袖部５１側における袖４の基部４ａが形成されることにより、着衣者が腕を上下に大きく動かした場合においても、この基部４ａがその袖４の動きに追従することで、前身頃２が袖４に引っ張られることを低減できるようになっている。【００８０】
そして、前身頃２の第１縫着基準位置２１が、着衣者の大胸筋２５（図５参照）が停止する大結節稜２６（図６参照）に重なる位置に設けられていることから、前身頃２が袖４に引っ張られることを、より効果的に低減できるようになる。すなわち、この大結節稜２６の近傍では、筋肉が大きく、そして激しく動く場所であるので、この位置に袖４の一部（前袖付け線６０ａの頂点６７の近傍の部分）が配置されることで、袖４がこの動きに追従することにより、前身頃２が袖４に引っ張られることを低減できる。【００８１】
また、後身頃３の第２縫着基準位置３１が、第２縫着部１２のうちで後身頃３の幅方向の中心に最も寄った位置に設けられ、さらに、後袖部５２の後縫着部５５において、第２縫着部１２の第２縫着基準位置３１に縫いつけられる点（後袖付け線６０ｂの頂点７２）が袖４のショルダーポイントＳＰよりも後身頃３に向かって突出されることで、着衣者が腕を抱え込むように前方に動かしたときに、後袖部５２側における袖４の基部４ｂがこの動きに追従することによって、後身頃３が袖４（後袖部５２）に引っ張られ難くなる。【００８２】
これは、前身頃２の場合と同様に、後身頃３のショルダーポイントＳＰと鎌底３５とを結ぶ直線１８が引かれ、この直線１８と後袖ぐり線９ｂとによって囲まれた領域に、袖４の一部が占めるように構成されることにより実現される。【００８３】
すなわち、図２を参照すると、上記のように囲まれた領域は、袖４のショルダーポイントと第２境界点７０とを結ぶ直線１９ｂが仮想的に引かれたとき、この直線１９ｂと後袖付け線６０ｂとによって囲まれた領域に相当する（以下、この領域に相当する部分を「後袖部側における袖の基部」４ｂという）。【００８４】
本実施形態では、この後袖部５５側における袖４の基部４ｂが、後身頃２においてショルダーポイントＳＰと鎌底３５とを結ぶ直線１８よりも、後中心線１５ｂ側に入りこんだ状態となっている。この状態で後縫着部５５が第２縫着部１２に縫いつけられることにより、後身頃３には、その鎌底３５とショルダーポイントＳＰとを結ぶ直線１８および後袖ぐり線９ｂとによって囲まれた領域を、後袖部５２側における袖４の基部４ｂが占めることになる。【００８５】
着衣者が上衣１を着けた状態で、腕を前に大きく振ったとき、この後袖部５２側における袖４の基部４ａは、この腕の動きに追従する袖４の移動量を吸収して、後身頃２が袖４に引っ張られることを防止する。すなわち、この後袖部５２側における袖４の基部４ｂは、若干の膨らみ（ゆとり）をもって形成されており、袖４が大きく振られたときに、その動きに追従するようになっている。【００８６】
これにより、上衣１は、着衣者が腕を前に大きく動かした場合であっても、後袖部５２側における袖４の基部４ｂがその動きに追従し、これにより、後身頃２が袖４に引っ張られることを低減できる。【００８７】
しかも、上衣１に、後袖部５２側における袖４の基部４ｂが形成されることにより、着衣者が腕を上下に大きく動かした場合においても、この基部４ｂがその袖４の動きに追従することで、後身頃３が袖４に引っ張られることを低減できるようになっている。【００８８】
そして、着衣者の上腕三頭筋の長頭の起始となる肩甲骨の関節下結節３３に重なるように設けられていることから、後身頃３が袖４に引っ張られることを、より効果的に低減できるようになる。すなわち、この関節下結節３３の近傍では、筋肉が大きく、そして激しく動く場所であるので、この位置に袖４の一部（後袖付け線６０ｂの頂点７２の近傍の部分）が配置されることで、袖４がこの動きに追従することにより、後身頃３が袖４に引っ張られることを低減できる。【００８９】
さらに、袖４の一部が身頃（前身頃２、後身頃３）の肩線８を延長した線よりも上側に位置しているので、腕を上方に動かしたときの袖４の動きが小さくなり、前袖部５１が前身頃２を引っ張ることを軽減できるようになる。【００９０】
したがって、図１０（ａ）、図１１（ａ）のように従来の上衣１を着衣者が着けた場合に比と、図１０（ｂ）、図１１（ｂ）のように本実施形態に係る上衣１を着衣者が着けた場合とを比較すると、本実施形態に係る上衣１を着けた場合の方が、腕を上下、前後に大きく振った場合であっても、身頃が袖４に引っ張られるということを低減できる。したがって、上衣１は、例えば、種々の運動競技や作業等を行う場合に、着衣者の意図する腕の振りを実現できるようになる。【００９１】
また、上衣１は、脇付近が前身頃２、後身頃３と袖４からのみ構成され、前身頃２の第１縫着部６と前袖部５１の前縫着部５４と後身頃３の第２縫着部１２と後袖部５２の後縫着部５５とを備えており、マチなどの別パーツを設けることがなく、袖４の付け根の部分にゆとりを設けることができることから、コストや手間を削減することができる。  【００９２】
さらに、前身頃２の第１縫着部６と、前袖部５１の前縫着部５４との間や、後身頃３の第２縫着部１２と後袖部５２の後縫着部５５との間に、タックやプリーツ等の加工を行うことなく、袖４の付け根の部分にゆとりを設けることができることから、上衣１は、コストや手間を削減することができる。【００９３】
図１２から図１６は、上衣１の第２実施形態を示している。この第２実施形態では、いわゆるラグランタイプの上衣１を例示する。【００９４】
この第２実施形態では、前身頃２、後身頃３、および袖４の形状が第１実施形態と異なる。上述した第１実施形態では、前身頃２に肩線８が設けられていたが、この第２実施形態では、前身頃２に肩線８が設けられていない。この前身頃２は、袖４（前袖部５１）が縫いつけられる第１縫着部６の上端が衿ぐりまで達している。同様に、後身頃３にも肩線８が設けられていない。この後身頃３は、袖４（後袖部５２）が縫いつけられる第２縫着部１２の上端が衿ぐりまで達している。【００９５】
また、第１実施形態では、前身頃２の第１縫着部６の上端、後身頃３の第２縫着部１２の上端がショルダーポイントＳＰとされていたが、本実施形態では、これらの上端とは別の位置にショルダーポイントＳＰが設けられている。【００９６】
本実施形態においても、第１実施形態と同様に、袖４は、袖山線４７により前袖部５１と後袖部５２に分けられる。第１実施形態と同様に、前袖部５１は、前身頃２に縫いつけられる前縫着部５４を備え、後袖部５２は、後身頃３に縫いつけられる後縫着部５５を備える。【００９７】
本実施形態において、袖４は、図１２、図１３に示すように、その幅方向の中央部に、前身頃２、および後身頃３の衿ぐりに向かって突出する突出部８１を備える。この突出部８１は、袖４の幅方向の中央部に設けられているため、この袖山線４７によって二分される。これにより、突出部８１は、袖山線４７によって分けられた一方の部分が、前袖部５１の前縫着部５４の一部を構成し、他方の部分が後袖部５２の後縫着部５５の一部を構成する。【００９８】
本実施形態においても、前身頃２の前縫着部５４に、第１実施形態で説明した第１縫着基準位置２１が設定されている。そして、後身頃３の後縫着部５５には、第１実施形態で説明した第２縫着基準位置３１が設定されている。【００９９】
袖４の突出部８１は、その突出端からショルダーポイントＳＰまでの部分が着衣者の肩に接触し、ショルダーポイントＳＰからその基部までの部分が着衣者の腕（上腕）に接触するようになっている。【０１００】
また、この突出部８１は、その突出端が衿ぐりの一部を構成するようになっている。以下、この突出端を衿ぐり形成部８３という。この衿ぐり形成部８３は、その中途部で袖山線４７と交わっている（この交点を符号８４で示す）。【０１０１】
前袖部５１の前縫着部５４は、第１実施形態で説明した第１境界点６５から、衿ぐり形成部８３の一端部（前袖部５１側の端部５１ａ）までの範囲で形成されている。この前縫着部５４の縁には、所定の曲線で構成される前袖付け線６０ａが形成されている。【０１０２】
この前袖付け線６０ａは、図１３に示すように袖４が展開された状態において、３次曲線によって表されている。より具体的には、図１３において袖４の袖幅線７５をＸ軸座標とし、袖山線４７をＹ軸座標と仮定したときに、前袖付け線６０ａは、第１境界点６５と衿ぐり形成部８３との間で、Ｙ軸座標において極小となる点（図１３において符号８６で示す）、および極大となる点（図１３において符号８７で示す）を有する曲線となっている。【０１０３】
この極小点８６は、前袖部５１の前縫着部５４が前身頃２の第１縫着部６に縫いつけられたときに、ショルダーポイントＳＰよりも、前身頃２の幅方向の中心（前中心線１５ｂ）寄りに位置づけられる。また、本実施形態において、この前袖付け線６０ａの極小点８６は、前袖部５１において突出部８１を区別する点となっている。【０１０４】
すなわち、本実施形態において、突出部８１の突出端からこの前袖付け線６０ａの極小点８６までの部分が突出部８１を構成する。以下、この極小点８６の位置を、「前袖部側における突出部の基部」という。以下、この前袖部５１側における突出部８１の基部８６に、極小点と同じ符号８６を用いる。【０１０５】
なお、突出部８１において、衿ぐり形成部８３の一端部８３ａから前袖部５１側における突出部８１の基部８６までの部分の縁が、前身頃２の第１縫着部６に縫いつけられる。すなわち、突出部８１は、この部分が、前縫着部５４と一体となって前身頃２に縫いつけられる。【０１０６】
前袖付け線６０ａの極大点８７は、第１境界点６５と前袖部５１側における突出部８１の基部８６の間に設けられている。前袖部５１は、この極大点８７の位置（部分）が、袖４のショルダーポイントＳＰよりも前身頃２に向かって突出するように形成されている。【０１０７】
前袖部５１は、前袖付け線６０ａの極大点８７の位置で、前身頃２の第１縫着部６に設定された第１縫着基準位置２１に縫いつけられる。すなわち、前袖部５１は、ショルダーポイントＳＰよりも前身頃２側に突出し、かつ前袖部５１側における突出部８１の基部８６と第１境界点６５との間において最も前身頃２側に突出した部分が第１縫着基準位置２１に縫いつけられる。【０１０８】
前袖部５１の前縫着部５４が、第１実施形態で説明した第１境界点６５から、衿ぐり形成部８３の一端部８３ａまでの範囲で形成されているのに対し、後袖部５２の後縫着部５５は、第１実施形態で説明した第２境界点７０から、衿ぐり形成部８３の他端部８３ｂまでの範囲で形成されている。この後縫着部５５の縁には、所定の曲線で構成される後袖付け線６０ｂが形成されている。【０１０９】
この後袖付け線６０ｂは、図１３に示すように袖４が展開された状態において、３次曲線によって表されている。より具体的には、図１３において袖４の袖幅線７５をＸ軸座標とし、袖山線４７をＹ軸座標と仮定したときに、後袖付け線６０ｂは、第２境界点７０と衿ぐり形成部８３との間で、Ｙ軸座標において極小となる点（図１３において符号８８で示す）、および極大となる点（図１３において符号８９で示す）を有する曲線となっている。【０１１０】
この極小点８８は、後袖部５２の後縫着部５５が前身頃２の第２縫着部１２に縫いつけられたときに、ショルダーポイントＳＰよりも、後身頃３の幅方向の中心（後中心線１５ｂ）寄りに位置づけられる。また、本実施形態において、この後袖付け線６０ｂの極小点８８は、後袖部５２において突出部８１を区別する点となっている。【０１１１】
すなわち、本実施形態において、突出部８１の突出端からこの後袖付け線６０ｂの極小点８８までの部分が突出部８１を構成する。以下、この極小点８８の位置を「後袖部側における突出部の基部」という。以下、この後袖部５２側における突出部８１の基部に、極小点と同じ符号８８を用いる。【０１１２】
なお、突出部８１において、衿ぐり形成部８３の他端部８３ｂから、後袖部５２側における突出部８１の基部８８までの部分の縁が、後身頃３の第２縫着部１２に縫いつけられる。すなわち、突出部８１は、この部分が、前縫着部５４と一体となって後身頃３に縫いつけられる。【０１１３】
後袖付け線６０ｂの極大点８９は、第２境界点７０と後袖部５２側における突出部８１の基部８８の間に設けられている。後袖部５２は、この極大点８９の位置（部分）が、袖４のショルダーポイントＳＰよりも後身頃３に向かって突出するように形成されている。【０１１４】
後袖部５２は、後袖付け線６０ｂの極大点８９の位置で、後身頃３の第２縫着部１２に設定された第２縫着基準位置３１に縫いつけられる。すなわち、後袖部５２は、ショルダーポイントＳＰよりも後身頃３側に突出し、かつ後袖部５２側における突出部８１の基部８８と第２境界点７０との間において最も後身頃３側に突出した部分が第２縫着基準位置３１に縫いつけられる。【０１１５】
第１実施形態では、袖４に示されるショルダーポイントＳＰが前袖付け線６０ａと後袖付け線６０ｂとで構成される凹部５８の底部に位置づけられていたが、本実施形態では、ショルダーポイントＳＰは、突出部８１の中途部であって袖山線４７上に位置づけられており、この点が相違する。【０１１６】
以下、このショルダーポイントＳＰの設定の仕方について説明する。袖４のショルダーポイントＳＰは、例えば、後身頃３にショルダーポイントＳＰを設定し、この後身頃３のショルダーポイントＳＰに対応させて設定される。【０１１７】
後身頃３にショルダーポイントＳＰを設定するには、上衣１について予め設定されている寸法に基づいて、後身頃３の採寸を行う。上衣１について予め設定されている寸法とは、例えば上衣１が付けられる着衣者の首の大きさに対応する首廻り寸法、着衣者の胸囲に対応する胸廻り寸法、胸廻り寸法に対応する前身頃２の胸廻り寸法（フロントチェストＦＣ）、胸廻り寸法に対応する後身頃３の胸廻り寸法（バックチェストＢＣ）、アームホールＡＨ（ＡＨ）の長さ、上衣１の上下の長さである着丈等である。【０１１８】
後身頃３の採寸には、まずその基点９１の位置を決める。この基点９１は、後身頃３において衿ぐりの縁を示す衿ぐり線の最下端であり、この基点９１は後身頃３の後中心線１５ｂ上に位置するものである。この基点９１に基づいて、後中心線１５ｂが引かれ、この基点９１から着丈分の長さを採る。この着丈の寸法を採ることで、上衣１（後身頃３）の裾の位置が決められる。この裾は、後中心線１５ｂと直交する裾線１１により表される。【０１１９】
次に、鎌底３５の位置を決める。鎌底３５は、後中心線１５ｂに沿って基点９１から所定の間隔で離れた位置に設定される。一般的な基点９１から鎌底３５までの長さは、例えば、胸廻り寸法の１／４の長さに等しい。【０１２０】
本実施形態では、鎌底３５は、この一般的な鎌底３５の位置からさらに胸廻り寸法の１／３２の長さ分だけ上側に位置づけられる。なお、後身頃３および前身頃２には、この鎌底３５を通り、後中心線１５ｂ（または前中心線１５ａ）に直角なチェスト線３７が引かれる。【０１２１】
図１２において、基点９１から鎌底３５までの長さの半分の位置に、背幅線４５が後中心線１５ｂに直角となるように引かれる。第２縫着基準位置３１は、この背幅線４５と第２縫着部１２の後袖ぐり線９ｂとの交点である。【０１２２】
また、基点９１に基づいて、後衿ぐり５ｂの上端９３が決められる。この後衿ぐり５ｂの上端９３は、後中心線１５ｂに沿う方向において、基点９１から所定の間隔離れて位置づけられる。この後中心線１５ｂに沿う方における基点９１と後衿ぐり５ｂの上端９３との間隔（高さ）は、首廻り寸法の１／１６の長さに等しい。【０１２３】
また、この後衿ぐり５ｂの上端９３は、基点９１から幅方向（背幅線４５に沿う方向）に沿って、所定の間隔離れて位置づけられる。幅方向における基点９１と後衿ぐり５ｂの上端９３との間隔（幅）は、首廻り寸法の３／１６の長さとされる。【０１２４】
図１２において、後衿ぐり５ｂの上端９３を通り、後中心線１５ｂに直角な第２補助線４６が仮想的に引かれる。さらに、この第２補助線４６から所定の角度で傾斜する肩線８が仮想的に引かれる。本実施形態では、第２補助線４６と肩線８となす内角は、１７°とされている。【０１２５】
後身頃３の第２縫着基準位置３１は、第２縫着部１２の後袖ぐり線９ｂと前身頃２の第１縫着部６の前袖ぐり線９ａとの境界位置、すなわち、鎌底３５から後身頃３の幅方向（チェスト線３７に沿う方向）に所定間隔離れて設定されている。後身頃３の幅方向における鎌底３５と第２縫着基準位置３１との間隔は、後身頃３の胸廻り寸法（バックチェストＢＣ）の１／８の長さに等しい。【０１２６】
そして、後身頃３には、この第２縫着基準位置３１を通り、チェスト線３７に直角な背幅案内線４４が引かれる。この背幅案内線４４は、その一端部がチェスト線３７に達し、その他端部が第２補助線４６に達している。第２縫着基準位置３１は、背幅案内線４４に沿う方向において、第２補助線４６から所定の間隔離れた位置に設定されている。【０１２７】
前記肩線８は、この背幅案内線４４と交差している。この肩線８は、その一端部が後衿ぐり５ｂの上端９３に一致し、その他端部が、背幅案内線４４から突出している。肩線８において、この背幅線４５から突出する部分の長さは、アームホールＡＨの長さの２％以上４％以下の範囲内とされるのがよい。【０１２８】
このようにして設定された肩線８の突端９５が、後身頃３のショルダーポイントＳＰとなる。袖４のショルダーポイントＳＰは、この肩線８の長さ（後衿ぐり５ｂの上端９３から肩線８の突端９５までの長さ）を計り、袖４の袖山線４７上において、袖４の衿ぐり形成部８３と袖山線４７との交点８４から、この肩線８の長さと同じ長さの位置に設定される。【０１２９】
なお、前身頃２および後身頃３には、所望の前袖ぐり線９ａ、および後袖ぐり線９ｂを形成するための基準点として、ラグランポイントＲＰが設定される。例えば、後身頃３のラグランポイントＲＰは、以下のように設定される。まず、図１２に示すように、背幅案内線４４と第２補助線４６との交点９６から第２縫着基準位置３１までの長さを測る。【０１３０】
次に、この長さの１／４の長さＬ６を計算する。そして、背幅案内線４４において、前記交点９６から第２縫着基準位置３１までの部分の半分（中間）の位置（以下「中間点」という）９７を決める。最後に、この背幅案内線４４に直交する方向において、この中間点から長さＬ６だけ後中心線１５ｂに向かって離れた点９８を決める。【０１３１】
このようにして決められた点９８がラグランポイントＲＰである。同様に、前身頃２の第１縫着部６についてもラグランポイントＲＰが設定される。前身頃２の前袖ぐり線９ａ、後身頃３の後袖ぐり線９ｂは、第１縫着基準位置２１、第２縫着基準位置３１からラグランポイントＲＰを通って衿ぐりに達するような曲線に設定される。【０１３２】
本実施形態のその他の構成は、第１実施形態と同様である。本実施形態において、第１実施形態と共通する構成要素には、第１実施形態と同じ符号を用い、その説明を省略する。【０１３３】
本実施形態に係る上衣１によれば、前袖部５１の前縫着部５４において、第１縫着部６の第１縫着基準位置２１に縫いつけられる点（前袖付け線６０ａの極大点８７）が袖４のショルダーポイントＳＰよりも前身頃２に向かって突出されることで、着衣者が腕を後方に大きく動かしたときに、前袖部５１における前袖付け線６０ａの頂点８７の近傍の部分がこの動きに追従することによって、前身頃２が袖４（前袖部５１）に引っ張られ難くなる。すなわち、上記の構成により、袖４の前縫着部５４および後縫着部５５のまわりには、この袖４が着衣者の腕の動きに追従するための「ゆとり」が形成されている。具体的には、このゆとりは、図１３に示すように、袖付け線６０ａ、６０ｂが従来のラグランタイプの袖の袖付け線（符号４８で示す）よりも身頃２，３側に大きく突出していることにより形成される。すなわち、本実施形態では、この従来の袖の袖付け線４８と、本実施形態における袖付け線６０ａ，６０ｂと袖下線６１ａ，６１ｂとによって囲まれた部分（図１３においてハッチングで示された部分）の面積の分だけ、従来の袖よりも面積が大きくなっており、ゆとりはこの部分によって生じるものである。【０１３４】
しかも、着衣者が腕を上下に大きく動かした場合においても、前袖付け線６０ａの頂点６７の近傍の部分がこの動きに追従することによって、この袖４よりも下の前身頃２の部分が引っ張られ難くなる。【０１３５】
また、後袖部５２の後縫着部５５において、第２縫着部１２の第２縫着基準位置３１に縫いつけられる点（後袖付け線６０ｂの極大点８９）を袖４のショルダーポイントＳＰよりも後身頃３に向かって突出させることで、着衣者が腕を抱え込むように前方に動かしたときに、後袖部５２における後袖付け線６０ｂの極大点８９の近傍の部分がこの動きに追従することによって、後身頃３が袖４（後袖部５２）に引っ張られ難くなる。【０１３６】
しかも、着衣者が腕を上下に大きく動かした場合においても、後袖付け線６０ｂの頂点７２の近傍の部分がこの動きに追従することによって、この袖４よりも下の後身頃３の部分が引っ張られ難くなる。【０１３７】
さらに、袖４の一部が身頃（前身頃２、後身頃３）の肩線８を延長した線よりも上側に位置しているので、腕を上方に動かしたときの袖４の動きが小さくなり、前袖部５１が前身頃２を引っ張ることを軽減できるようになる。【０１３８】
また、前袖部５１の前縫着部５４において、第１縫着部６に縫いつけられる点（前袖付け線６０ａの極大点８７）が前袖部５１側における突出部８１の基部８６よりも前身頃２に向かって突出されることで、着衣者が腕を後方に大きく動かし、この動きに突出部８１が追従した場合であっても、この突出部８１よりも下側の領域において、前袖部５１における前袖付け線６０ａの極大点８７の近傍の部分が、この突出部８１の動きに追従することによって、前身頃２が袖４（前袖部５１）に引っ張られ難くなる。【０１３９】
前袖部５１の前縫着部５４において、第１縫着部６の第１縫着基準位置２１に縫いつけられる点（前袖付け線６０ａの極大点８７）が前袖部５１側における突出部８１の基部８６よりも前身頃２に向かって突出されることで、着衣者が腕を後方に大きく動かし、この動きに突出部８１が追従した場合であっても、この突出部８１よりも下側の領域において、前袖部５１側における前袖付け線６０ａの極大点８７の近傍の部分がこの突出部８１の動きに追従することによって、前身頃２が袖４（前袖部５１）に引っ張られ難くなる。【０１４０】
同様に後袖部５２の後縫着部５５において、第２縫着部１２の第２縫着基準位置３１に縫いつけられる点（後袖付け線６０ｂの極大点８９）が後袖部５２側における突出部８１の基部８８よりも後身頃３に向かって突出されることで、着衣者が腕を後方に大きく動かし、この動きに突出部８１が追従した場合であっても、この突出部８１よりも下側の領域において、後袖部５２側における後袖付け線６０ｂの極大点８９の近傍の部分がこの突出部８１の動きに追従することによって、後身頃３が袖４（前袖部５１）に引っ張られ難くなる。【０１４１】
なお、本発明は、上記の実施形態に限らず、種々の変形・変更が可能である。【０１４２】
例えば、第２実施形態の前袖付け線６０ａ、後袖付け線６０ｂは、３次曲線に限定されず、他の種々の曲線で構成されてもよい。【０１４３】
上記の実施形態では、半袖の上衣を例示したが、これに限らず、長袖その他の種々のタイプの上衣に本発明を適用できる。【０１４４】
上衣は、所定のパターンに基づいて生地を裁断して、前身頃、後身頃、袖が形成されるが、これらには、縫製に必要な縫い代が別途形成される。第１縫製基準位置、第２縫製基準位置、ショルダーポイント、ラグランポイントについては、その位置がわかるように、この縫い代にノッチその他の目印が付けられてもよい。【０１４５】
また、上衣は、袖が腕の動きにより追従しやすくするために、脇付近にマチなどの別パーツを設けたり、袖のみ身頃より伸縮性の高い生地を用いたり、タックやプリーツなどの加工を行なってもよい。【０１４６】
特に運動競技用の上衣の場合は、躍動感などを求めてデザイン的な理由から切り替えを設けることがよくあるが、腕の動きに追従するという機能を著しく阻害しない範囲であれば、適宜切り替えを設けてもよい。また、身頃や袖部は、腕の動きに追従するという機能を著しく阻害しない範囲であれば、適宜細分化（複数のパーツから構成）してもよい。【０１４７】
本発明の上衣においては、着衣者の体に密着しやすいように伸縮性の高い生地を用いてもよいし、伸縮性の低い生地や伸縮性のない生地を用いても、腕の動きに追従できるように設定されていればよく、適宜生地を用いることができる。
【産業上の利用可能性】
【０１４８】
本発明に係る上衣は、例えばスポーツや作業のように腕を前後上下に大きく動かすような場合に利用できる。
【図１】
2009125487.tif 000003
【図２】
2009125487.tif 000004
【図３】
2009125487.tif 000005
【図４】
2009125487.tif 000006
【図５】
2009125487.tif 000007
【図６】
2009125487.tif 000008
【図７】
2009125487.tif 000009
【図８】
2009125487.tif 000010
【図９】
2009125487.tif 000011
【図１０】
2009125487.tif 000012
【図１１】
2009125487.tif 000013
【図１２】
2009125487.tif 000014
【図１３】
2009125487.tif 000015
【図１４】
2009125487.tif 000016
【図１５】
2009125487.tif 000017
【図１６】
2009125487.tif 000018
【図１７】
2009125487.tif 000019
【図１８】
2009125487.tif 000020
【図１９】
2009125487.tif 000021
【図２０】
2009125487.tif 000022
【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
前身頃と、後身頃と、これらの身頃に縫いつけられる袖とを備えるとともに、着衣者の上半身に着けられる上衣において、
袖は、前袖部と後袖部を備えるとともに、前袖部と後袖部とを縫い合わせることによって筒状に構成され、
前袖部は、前身頃に縫いつけられる前縫着部と、袖部を筒状に構成すべく後袖部に縫いつけられる第１縫着端部とを備え、
後袖部は、後身頃に縫いつけられる後縫着部と、袖部を筒状に構成すべく前袖部に縫いつけられる第２縫着端部とを備え、
前縫着部が前身頃に縫いつけられ、かつ後縫着部が後身頃に縫いつけられたときに、前縫着部と後縫着部との境界部が、着衣者の肩先に対応するショルダーポイントとされており、
前身頃は、袖の前縫着部が縫いつけられる第１縫着部を備え、この第１縫着部には、袖の前縫着部が縫いつけられるときの基準となる第１縫着基準位置が設定されており、第１縫着基準位置は、第１縫着部のうちで、最も前身頃の幅方向の中心寄りに位置づけられ、
後身頃は、袖の後縫着部が縫いつけられる第２縫着部を備え、第２縫着部には、袖の後縫着部が縫いつけられるときの基準となる第２縫着基準位置が設定されており、第２縫着基準位置は、第２縫着部のうちで、最も後身頃の幅方向の中心寄りに位置づけられ、
前袖部の前縫着部において前身頃の第１縫着基準位置に縫いつけられる部分が、ショルダーポイントよりも前身頃に向かって突出し、かつ、前縫着部と第１縫着端部との境界点よりも前身頃に向かって突出し、しかも、後袖部の後縫着部において後身頃の第２縫着基準位置に縫いつけられる部分が、ショルダーポイントよりも後身頃に向かって突出し、かつ、後縫着部と第２縫着端部との境界点よりも後身頃に向かって突出することで、袖におけるショルダーポイントが、前袖部の前縫着部において前身頃の第１縫着基準位置に縫いつけられる部分と、後袖部の後縫着部において後身頃の第２縫着基準位置に縫いつけられる部分との間であって、かつ、前縫着部の縁を示す前袖付け線と後縫着部の縁を示す後袖付け線とによって形成される凹部の最底部に位置するとともに、袖を前身頃及び後身頃に縫いつけたときに、この袖の一部が前身頃の肩線を延長した線よりも上側に位置することを特徴とする上衣。
【請求項２】
前身頃と、後身頃と、これらの身頃に縫いつけられる袖とを備えるとともに、着衣者の上半身に着けられる上衣において、
袖は、前袖部と後袖部を備えるとともに、前袖部と後袖部とを縫い合わせることによって筒状に構成され、
前袖部は、前身頃に縫いつけられる前縫着部と、袖部を筒状に構成すべく後袖部に縫いつけられる第１縫着端部とを備え、
後袖部は、後身頃に縫いつけられる後縫着部と、袖部を筒状に構成すべく前袖部に縫いつけられる第２縫着端部とを備え、
前縫着部が前身頃に縫いつけられ、かつ後縫着部が後身頃に縫いつけられたときに、前縫着部と後縫着部との境界部が、着衣者の肩先に対応するショルダーポイントとされており、
前身頃は、袖の前縫着部が縫いつけられる第１縫着部を備え、この第１縫着部には、袖の前縫着部が縫いつけられるときの基準となる第１縫着基準位置が設定されており、第１縫着基準位置は、第１縫着部のうちで、最も前身頃の幅方向の中心寄りに位置づけられ、
後身頃は、袖の後縫着部が縫いつけられる第２縫着部を備え、第２縫着部には、袖の後縫着部が縫いつけられるときの基準となる第２縫着基準位置が設定されており、第２縫着基準位置は、第２縫着部のうちで、最も後身頃の幅方向の中心寄りに位置づけられ、
前袖部の前縫着部において前身頃の第１縫着基準位置に縫いつけられる部分が、ショルダーポイントよりも前身頃に向かって突出し、かつ、前縫着部と第１縫着端部との境界点よりも前身頃に向かって突出し、しかも、後袖部の後縫着部において後身頃の第２縫着基準位置に縫いつけられる部分が、ショルダーポイントよりも後身頃に向かって突出し、かつ、後縫着部と第２縫着端部との境界点よりも後身頃に向かって突出することで、袖におけるショルダーポイントが、袖の幅方向における中央部であって、かつ前縫着部の縁を示す前袖付け線と後縫着部の縁を示す後袖付け線とによって形成される凹部の最底部に位置するとともに、袖を前身頃及び後身頃に縫いつけたときに、この袖の一部が前身頃の肩線を延長した線よりも上側に位置することを特徴とする上衣。
【請求項３】
前記第１縫着基準位置は、着衣者の大結節稜に重なる位置に設定される請求項１または２に記載の上衣。
【請求項４】
前記第２縫着基準位置は、着衣者の関節下結節に重なる位置に設定される請求項１または２に記載の上衣。
【請求項５】
前縫着部と第１縫着端部との境界点と、後縫着部と第２縫着端部との境界点とを結ぶとともに幅方向に沿った袖幅線が引かれ、
ショルダーポイントから袖幅線に直交するように引いた線の長さをＡとし、前袖部の前縫着部において前身頃の第１縫着基準位置に縫いつけられる部分から袖幅線に直交するように引いた線の長さをＢとし、後袖部の後縫着部において後身頃の第２縫着基準位置に縫いつけられる部分から袖幅線に直交するように引いた線の長さをＣとしたとき、Ａ＜Ｂ、Ａ＜Ｃの関係が成立する請求項１または２に記載の上衣。
【手続補正２】
【補正対象書類名】明細書
【補正対象項目名】０００４
【補正方法】変更
【補正の内容】
【０００４】
部は、前身頃に縫いつけられる前縫着部と、袖部を筒状に構成すべく後袖部に縫いつけられる第１縫着端部とを備え、後袖部は、後身頃に縫いつけられる後縫着部と、袖部を筒状に構成すべく前袖部に縫いつけられる第２縫着端部とを備え、前縫着部が前身頃に縫いつけられ、かつ後縫着部が後身頃に縫いつけられたときに、前縫着部と後縫着部との境界部が、着衣者の肩先に対応するショルダーポイントとされており、前身頃は、袖の前縫着部が縫いつけられる第１縫着部を備え、この第１縫着部には、袖の前縫着部が縫いつけられるときの基準となる第１縫着基準位置が設定されており、第１縫着基準位置は、第１縫着部のうちで、最も前身頃の幅方向の中心寄りに位置づけられ、後身頃は、袖の後縫着部が縫いつけられる第２縫着部を備え、第２縫着部には、袖の後縫着部が縫いつけられるときの基準となる第２縫着基準位置が設定されており、第２縫着基準位置は、第２縫着部のうちで、最も後身頃の幅方向の中心寄りに位置づけられ、前袖部の前縫着部において前身頃の第１縫着基準位置に縫いつけられる部分が、ショルダーポイントよりも前身頃に向かって突出し、かつ、前縫着部と第１縫着端部との境界点よりも前身頃に向かって突出し、しかも、後袖部の後縫着部において後身頃の第２縫着基準位置に縫いつけられる部分が、ショルダーポイントよりも後身頃に向かって突出し、かつ、後縫着部と第２縫着端部との境界点よりも後身頃に向かって突出することで、袖におけるショルダーポイントが、前袖部の前縫着部において前身頃の第１縫着基準位置に縫いつけられる部分と、後袖部の後縫着部において後身頃の第２縫着基準位置に縫いつけられる部分との間であって、かつ、前縫着部の縁を示す前袖付け線と後縫着部の縁を示す後袖付け線とによって形成される凹部の最底部に位置するとともに、袖を前身頃及び後身頃に縫いつけたときに、この袖の一部が前身頃の肩線を延長した線よりも上側に位置することを特徴とする。
［００１７］
かかる構成によれば、前身頃の第１縫着基準位置が、第１縫着部のうちで、前身頃の幅方向の中心に最も寄った位置に設定され、さらに、前袖部の前縫着部において前身頃の第１縫着基準位置に縫いつけられる部分が、ショルダーポイントよりも前身頃に向かって突出し、かつ、前縫着部と第１縫着端部との境界点よりも前身頃に向かって突出して形成されることで、袖の前縫着部の近傍範囲に腕の動きに追従するための「ゆとり」が生じる。このゆとりが生じることで、着衣者が、袖を上下前後に動かした場合であっても、身頃がこの袖に引っ張られることを低減できるようになる。
［００１８］
しかも、後身頃の第２縫着基準位置が、第２縫着部のうちで、後身頃の幅方向の中心に最も寄った位置に設けられ、さらに、後袖部の後縫着部において後身頃の第２縫着基準位置に縫いつけられる部分が、ショルダーポイントよりも後身頃に向かって突出し、かつ、後縫着部と第２縫着端部との境界点よりも後身頃に向かって突出して
【手続補正３】
【補正対象書類名】明細書
【補正対象項目名】０００５
【補正方法】変更
【補正の内容】
【０００５】
いることで、袖の後縫着部の近傍範囲にゆとりが生じる。袖にゆとりが生じることで、着衣者が、袖を上下前後に動かした場合であっても、身頃のこの袖に引っ張られることを低減できるようになる。
［００１９］
また、本発明は、前身頃と、後身頃と、これらの身頃に縫いつけられる袖とを備えるとともに、着衣者の上半身に着けられる上衣において、袖は、前袖部と後袖部を備えるとともに、前袖部と後袖部とを縫い合わせることによって筒状に構成され、前袖部は、前身頃に縫いつけられる前縫着部と、袖部を筒状に構成すべく後袖部に縫いつけられる第１縫着端部とを備え、後袖部は、後身頃に縫いつけられる後縫着部と、袖部を筒状に構成すべく前袖部に縫いつけられる第２縫着端部とを備え、前縫着部が前身頃に縫いつけられ、かつ後縫着部が後身頃に縫いつけられたときに、前縫着部と後縫着部との境界部が、着衣者の肩先に対応するショルダーポイントとされており、前身頃は、袖の前縫着部が縫いつけられる第１縫着部を備え、この第１縫着部には、袖の前縫着部が縫いつけられるときの基準となる第１縫着基準位置が設定されており、第１縫着基準位置は、第１縫着部のうちで、最も前身頃の幅方向の中心寄りに位置づけられ、後身頃は、袖の後縫着部が縫いつけられる第２縫着部を備え、第２縫着部には、袖の後縫着部が縫いつけられるときの基準となる第２縫着基準位置が設定されており、第２縫着基準位置は、第２縫着部のうちで、最も後身頃の幅方向の中心寄りに位置づけられ、前袖部の前縫着部において前身頃の第１縫着基準位置に縫いつけられる部分が、ショルダーポイントよりも前身頃に向かって突出し、かつ、前縫着部と第１縫着端部との境界点よりも前身頃に向かって突出し、しかも、後袖部の後縫着部において後身頃の第２縫着基準位置に縫いつけられる部分が、ショルダーポイントよりも後身頃に向かって突出し、かつ、後縫着部と第２縫着端部との境界点よりも後身頃に向かって突出することで、袖におけるショルダーポイントが、袖の幅方向における中央部であって、かつ前縫着部の縁を示す前袖付け線と後縫着部の縁を示す後袖付け線とによって形成される凹部の最底部に位置するとともに、袖を前身頃及び後身頃に縫いつけたときに、この袖の一部が前身頃の肩線を延長した線よりも上側に位置することを特徴とする。
［００２０］
かかる構成によれば、前身頃の第１縫着基準位置が、第１縫着部のうちで、前身頃の幅方向の中心に最も寄った位置に設定され、さらに、前袖部の前縫着部において
【国際調査報告】
2009125487.tif 000023
2009125487.tif 000024
2009125487.tif 000025
2009125487.tif 000026